(57)【要約】【課題】水溶液の種類を常時把握、さらに液量や水溶液の有無を検出できる水溶液収納容器と、その水溶液収納容器を用いた水溶液管理装置を提供すること。【解決手段】水溶液に関する情報、もしくは水溶液に関する情報を取得できるコード情報が、書き込まれた第１の無線ＩＣタグ１２と、前記第１の無線ＩＣタグと異なる周波数帯域で通信する第２の無線ＩＣタグ１１Ａ、１１Ｂ、１１Ｃとを水溶液収納容器１５に貼付、もしくは封入して、第２の無線ＩＣタグ１１Ａ、１１Ｂ、１１Ｃが無線通信可能であるか否かに基づいて水溶液の有無が判断できる。【選択図】図１
2006290402.tif 000002
【特許請求の範囲】
【請求項１】
水溶液に関する情報、もしくは水溶液に関する情報を取得できるコード情報が、書き込まれた第１の無線ＩＣタグと、前記第１の無線ＩＣタグと異なる周波数帯域で通信するひとつ以上の第２の無線ＩＣタグとを貼付、もしくは封入して、前記第１および第２の無線ＩＣタグが無線通信可能であるか否かに基づいて前記水溶液の有無が判断可能なことを特徴とする水溶液収納容器。
【請求項２】
水溶液に関する情報、もしくは水溶液に関する情報を取得できるコード情報が、書き込まれた第１の無線ＩＣタグと、前記第１の無線ＩＣタグと異なる周波数帯域で通信する２つ以上の第２の無線ＩＣタグとを高さ方向の互いに異なる位置に貼付した、もしくは、封入して、前記第１および第２の無線ＩＣタグが無線通信可能であるか否かに基づいて前記水溶液の液量が判断可能なことを特徴とする水溶液収納容器。
【請求項３】
水溶液に関する情報、もしくは水溶液に関する情報を取得できるコード情報が、書き込まれた第１の無線ＩＣタグと、前記第１の無線ＩＣタグと異なる周波数帯域で通信するひとつ以上の第２の無線ＩＣタグとを水溶液収納容器の排出口付近に配置して、前記第１および第２の無線ＩＣタグが無線通信可能であるか否かに基づいて前記水溶液の有無が判断可能なことを特徴とする水溶液収納容器。
【請求項４】
第１の無線ＩＣタグが書き換え可能なメモリ領域を具備し、前記書き換え可能なメモリ領域に水溶液に関する情報、もしくは水溶液に関する情報を取得できるコード情報を、書き込むことを特徴とする請求項１〜３のいずれか１項に記載の水溶液収納容器。
【請求項５】
第１の無線ＩＣタグは１２５ＫＨｚ付近、第２の無線ＩＣタグは２．４５ＧＨｚ付近の周波数帯で通信することを特徴とする請求項１〜４のいずれか１項に記載の水溶液収納容器。
【請求項６】
水溶液に関する情報、もしくは水溶液に関する情報を取得できるコード情報が、書き込まれた第１の無線ＩＣタグと、前記第１の無線ＩＣタグと異なる周波数帯域で通信するひとつ以上の第２の無線ＩＣタグとを貼付、もしくは封入して、前記第１および第２の無線ＩＣタグが無線通信可能であるか否かに基づいて前記水溶液の有無が判断可能な水溶液収納容器と、前記第１および第２の無線ＩＣタグの情報を読み取る読取手段とから構成された水溶液管理装置。
【請求項７】
水溶液に関する情報、もしくは水溶液に関する情報を取得できるコード情報が、書き込まれた第１の無線ＩＣタグと、前記第１の無線ＩＣタグと異なる周波数帯域で通信する２つ以上の第２の無線ＩＣタグとを高さ方向の互いに異なる位置に貼付した、もしくは、封入して、前記第１および第２の無線ＩＣタグが無線通信可能であるか否かに基づいて前記水溶液の液量が判断可能な水溶液収納容器と、前記第１および第２の無線ＩＣタグの情報を読み取る読取手段とから構成された水溶液管理装置。
【請求項８】
外部からの電磁波をシールドすることを特徴とする請求項６〜７のいずれか記載の水溶液管理装置。
【発明の詳細な説明】
【技術分野】
【０００１】
本発明は、周波数の異なる２種類の無線ＩＣタグを備えて、水溶液の種類を常時把握、さらに液量や水溶液の有無を検出する水溶液収納容器と、その水溶液収納容器を用いた水溶液管理装置に関するものである。
【背景技術】
【０００２】
無線ＩＣタグは一般に、電池を内蔵しないが、読取装置が発生させる電磁波領域内に入ると電磁波により励起され、無線ＩＣタグに電源が供給される。さらにその読取装置が発生する電磁波にはコマンドが含まれているので、そのコマンドを無線ＩＣタグが受け取ると、個別ＩＤを含む情報を読取装置に返答するという動作原理である。
【０００３】
このように、簡単な構成ながら電波で非接触に情報を通信することが出来るため、工場や流通関連での在庫管理をはじめとしてあらゆる分野で活用されており、既に無線ＩＣタグと水溶液センサを組み合わせたものも存在する。
【０００４】
たとえば、介護分野ではおむつの状態検出が行われており、特許文献１に示すように小型かつ安価で再利用可能な水溶液検知センサを提供することを目的として無線ＩＣタグと水分検知センサから構成されたものがある。
【特許文献１】特開２００４−０８５２７７号公報
【発明の開示】
【発明が解決しようとする課題】
【０００５】
しかしながら、この方法では無線ＩＣタグ以外の特殊な回路（コイルとコンデンサからなる共振回路）と、水溶液を取り込むための被覆部材が加えられており、被覆部材が水溶液を取り込み、前記回路の特性が変化することにより濡れているか乾燥しているかを判断している。このように、測定しようとする水溶液を回路構成内に取り込む構造になっており、直接水溶液に接触する必要があり、食料品や医薬品などを対象にすることは、化学面、物理面、衛生面、心理面などあらゆる面から問題が多く、こういった物に使用することは必ずしも適していなかった。
【課題を解決するための手段】
【０００６】
そこで、前記従来の課題を解決するために、本発明の水溶液収納容器は、水溶液に関する情報、もしくは水溶液に関する情報を取得できるコード情報が、書き込まれた第１の無線ＩＣタグと、前記第１の無線ＩＣタグと異なる周波数帯域で通信するひとつ以上の第２の無線ＩＣタグとを貼付した、もしくは封入して、第１の無線ＩＣタグと無線通信することにより水溶液に関する情報、もしくは水溶液に関する情報を取得できるコード情報を取得し、前記第１および第２の無線ＩＣタグが無線通信可能であるか否かに基づいて水溶液の有無が判断可能とした。
【０００７】
ここで無線通信に、第１の無線ＩＣタグは、水溶液の影響を受けにくい長波帯の周波数帯で通信、第２の無線ＩＣタグは、水溶液の影響を受けやすい超短波あるいはマイクロ波領域の周波数帯で通信する。
【０００８】
第１の無線ＩＣタグは水溶液の残量にかかわり無く読み取れるので、水溶液収納容器の有無や水溶液の品名などの情報を常時取得することが出来る。
【０００９】
第２の無線ＩＣタグは水溶液に吸収されやすいという、その周波数帯の無線ＩＣタグの特性ゆえに、第２の無線ＩＣタグの付近に水溶液があると水溶液自身が無線通信のための電磁波を吸収してしまうので無線通信できないが、水溶液が直近に存在しない場合には無線通信が可能となるので水溶液の残量を検知することが出来る。
【発明の効果】
【００１０】
本発明の水溶液収納容器とその水溶液収納容器を用いた水溶液管理装置は、第２の無線ＩＣタグが直接内部の液に触れることなく、完全に非接触であり、水溶液が第２の無線ＩＣタグの直近に存在しない場合にだけ、電波で情報を通信することが出来る（第２の無線ＩＣタグの付近に水溶液があると通信できない）という超短波あるいはマイクロ波領域の周波数帯を使用している。そして、一般的な無線ＩＣタグを水溶液収納容器に貼付、あるいは封入しただけの極めて簡単な構成で、コスト的にも非常に有利に、液量や水溶液の有無を検出する水溶液収納容器とその水溶液収納容器を用いた水溶液管理装置を提供できる。
【００１１】
また、水溶液に関する情報、もしくは水溶液に関する情報を取得できるコード情報が、書き込まれた第１の無線ＩＣタグも貼付、もしくは封入してあるので、水溶液収納容器が水溶液で満たされていた時にも、周波数の異なる第１の無線ＩＣタグだけは少なくとも読み取り可能であり、その水溶液がどのような物質であるのか等を知ることが出来る。
【発明を実施するための最良の形態】
【００１２】
第１の発明は、水溶液収納容器において、水溶液に関する情報、もしくは水溶液に関する情報を取得できるコード情報が、書き込まれた第１の無線ＩＣタグと、前記第１の無線ＩＣタグと異なる周波数帯域で通信するひとつ以上の第２の無線ＩＣタグとを貼付、もしくは封入して、前記第１および第２の無線ＩＣタグが無線通信可能であるか否かに基づいて前記水溶液の有無が判断可能とした。
【００１３】
これにより、水溶液収納容器に水溶液がない時にだけ第２の無線ＩＣタグから情報が読み取れるので、例えば醤油や日本酒のように、日常的に消費するような水溶液がなくなったことを第２の無線ＩＣタグが水溶液に直接触れることなく検知できる。さらに水溶液が水溶液収納容器いっぱいに入っていた時でも、周波数の異なる第１の無線ＩＣタグは読み取れるので、その水溶液がどのような物質（ここでは醤油や日本酒）であるのかということを知ることが出来る。
【００１４】
第２の発明は、水溶液収納容器において、水溶液に関する情報、もしくは水溶液に関する情報を取得できるコード情報が、書き込まれた第１の無線ＩＣタグと、前記第１の無線ＩＣタグと異なる周波数帯域で通信する２つ以上の第２の無線ＩＣタグとを高さ方向の互いに異なる位置に貼付した、もしくは、封入して、前記第１および第２の無線ＩＣタグが無線通信可能であるか否かに基づいて前記水溶液の液量が判断可能とした。
【００１５】
これにより、それぞれの第２の無線ＩＣタグの直近に水溶液がない時にだけ、第２の無線ＩＣタグから情報が読み取れるので、例えば醤油や日本酒のように、日常的に消費するような水溶液が減っていくに従って読み出し可能となる第２の無線ＩＣタグが増えていく。このように水溶液がなくなったことだけではなく水溶液の消費量の算出を行うことが第２の無線ＩＣタグが水溶液に直接触れることなくできる。さらに、水溶液が水溶液収納容器いっぱいに入っていた時でも、第１の無線ＩＣタグだけは読み取れるので、その水溶液が何であるのか（ここでは醤油や日本酒）ということを知ることが出来る。
【００１６】
第３の発明は、水溶液収納容器において、水溶液に関する情報、もしくは水溶液に関する情報を取得できるコード情報が、書き込まれた第１の無線ＩＣタグと、前記第１の無線ＩＣタグと異なる周波数帯域で通信するひとつ以上の第２の無線ＩＣタグとを水溶液収納容器の排出口付近に配置して、前記第１および第２の無線ＩＣタグが無線通信可能であるか否かに基づいて前記水溶液の有無が判断可能とした。
【００１７】
これにより、例えば点滴の薬剤がなくなったことを非接触で検知できる。さらに、水溶液が水溶液収納容器（ここでは点滴容器）いっぱいに入っていた時でも、第１の無線ＩＣタグは読み取れるので、その水溶液がどのような物質であるか（ここではブドウ糖、あるいは抗生物質であるといった薬の種類）を知ることが出来る。
【００１８】
第４の発明は、特に第１〜３の発明のいずれかの水溶液収納容器において、第１の無線ＩＣタグが書き換え可能なメモリ領域を具備し、前記書き換え可能なメモリ領域に水溶液に関する情報、もしくは水溶液に関する情報を取得できるコード情報を、書き込むようにした。
【００１９】
これにより、水溶液収納容器にいろいろな種類の水溶液を収納して、その水溶液の情報を第１の無線ＩＣタグに書き込むことが可能となり、水溶液収納容器の使用用途や再利用が広がる。
【００２０】
第５の発明は、特に第１〜４の発明の水溶液収納容器において、第１の無線ＩＣタグは１２５ＫＨｚ付近、第２の無線ＩＣタグは２．４５ＧＨｚ付近の周波数帯で通信するようにした。
【００２１】
これにより、第１の無線ＩＣタグは水溶液の影響を受けにくく常時読取り可能であって、第２の無線ＩＣタグは、水溶液の影響を受けやすく、まわりに水溶液が多い時には情報は読み取れなくなるので確実な水溶液検出が可能となる。
【００２２】
第６の発明は、水溶液管理装置において、水溶液に関する情報、もしくは水溶液に関する情報を取得できるコード情報が、書き込まれた第１の無線ＩＣタグと、前記第１の無線ＩＣタグと異なる周波数帯域で通信するひとつ以上の第２の無線ＩＣタグとを貼付、もしくは封入して、前記第１および第２の無線ＩＣタグが無線通信可能であるか否かに基づいて前記水溶液の有無が判断可能な水溶液収納容器と、前記第１および第２の無線ＩＣタグの情報を読み取る読取手段とから構成した。
【００２３】
これにより、液体収納容器に液体がない時にだけ、第２の無線ＩＣタグからデータ読み取れるので、例えば醤油や日本酒のような日常的に消費するような液体がなくなったことを第２の無線ＩＣタグが液体に直接触れることなく検知できる水溶液管理装置を提供できる。さらに液体が液体収納容器いっぱいに入っていた時、第２の無線ＩＣタグが全て読み取れなくても、第１の無線ＩＣタグは読み取れるので、その液体がどのような物質（ここでは醤油や日本酒）であるのかということを知ることが出来る水溶液管理装置を提供できる。
【００２４】
第７の発明は、水溶液管理装置において、水溶液に関する情報、もしくは水溶液に関する情報を取得できるコード情報が、書き込まれた第１の無線ＩＣタグと、前記第１の無線ＩＣタグと異なる周波数帯域で通信する２つ以上の第２の無線ＩＣタグとを高さ方向の互いに異なる位置に貼付した、もしくは、封入して、前記第１および第２の無線ＩＣタグが無線通信可能であるか否かに基づいて前記水溶液の液量が判断可能な水溶液収納容器と、前記第１および第２の無線ＩＣタグの情報を読み取る読取手段とから構成した。
【００２５】
これにより、それぞれの第２の無線ＩＣタグ直近に液体がない時にだけ、第２の無線ＩＣタグからデータ読み取れるので、例えば醤油や日本酒のような日常的に消費するような液体が減っていくに従って、読み出し可能となる第２の無線ＩＣタグが増えていき、液体がなくなったことだけではなく消費量の算出を行うことが、第２の無線ＩＣタグが液体に直接触れることなく可能となるような、水溶液管理装置を提供できる。さらに液体が液体収納容器いっぱいに入っていた時、第２の無線ＩＣタグが全て読み取れなくても、第１の無線ＩＣタグは読み取れるので、その液体がどのような物質（ここでは醤油や日本酒）であるのかということを知ることが出来る水溶液管理装置を提供できる。
【００２６】
第８の発明は、特に第６〜７のいずれかの発明の水溶液管理装置において、外部からの電磁波をシールドするようにした。
【００２７】
これにより、物理的に閉所内である水溶液管理装置の中にだけに存在する無線ＩＣタグだけの情報を読み取るので、水溶液管理装置の中にある無線ＩＣタグの情報だけを対象にした水溶液管理装置が提供出来る。
【００２８】
以下、本発明の実施の形態について、図面を用いて一実施形態について詳細に説明する。なお、この実施の形態によって本発明が限定されるものではない。また実施の形態に出てくる、水溶液収納容器、コップ、点滴容器のいずれも水溶液収納容器であるという前提で説明していく。また水溶液収納容器は電磁波を透過する物質で出来ていることも前提としている。さらにこの水溶液収納容器を収納して、水溶液収納容器全体を管理する水溶液管理装置についても述べていく。
【００２９】
（実施の形態１）
図１は第１および第２の発明の水溶液収納容器とシステム構成の一例を示す図であり、水溶液収納容器１５の側面、あるいは、底部、あるいは底部付近に、水溶液の影響を受けやすい超短波あるいはマイクロ波領域の周波数帯で通信する第２の無線ＩＣタグ１１Ａ、１１Ｂ、１１Ｃを貼付してある。貼付では剥がれる可能性があるので、水溶液収納容器１５に第２の無線ＩＣタグ１１Ａ、１１Ｂ、１１Ｃを封入することも効果的である。
【００３０】
さらに、水溶液の影響を受けにくく低周波数帯で通信する第１の無線ＩＣタグ１２を貼付もしくは封入した。この第１の無線ＩＣタグ１２には、特に水溶液収納容器１５に収納されている水溶液に関する情報が書き込まれており、水溶液の残量に関係なく常時読み取り可能である。
【００３１】
ここでは衛生面や化学的な影響を考慮して、水溶液収納容器１５の内部の水溶液には第２の無線ＩＣタグ１１Ａ、１１Ｂ、１１Ｃが直接接触しないように設置するのが最も好ましいが、第２の無線ＩＣタグ１１Ａ、１１Ｂ、１１Ｃを水溶液に直接接触するような貼付、あるいは封入を完全に禁止しているわけではない。
【００３２】
図１において、水溶液収納容器１５の下部の破線部分ａは水溶液が入っている部分を示しており、図において第２の無線ＩＣタグ１１Ａ、１１Ｂの直近には水溶液がなく、第２の無線ＩＣタグ１１Ｃの直近には水溶液がある。したがって、第２の無線ＩＣタグ１１Ａ、１１Ｂの情報だけが読取装置１３に読み取り可能であり、読取装置１３に送信される。このように、水溶液収納容器１５に第２の無線ＩＣタグ１１Ａ、１１Ｂ、１１Ｃが複数貼付されているので、水溶液の水位によって読み取り可能な第２の無線ＩＣタグが変化し、これによって水溶液がどの程度減ってきたのか認知することが出来る。
【００３３】
また、第２の無線ＩＣタグ１１Ａ、１１Ｂがなく、１１Ｃだけが貼付されている場合は、水溶液収納容器１５内の水溶液がほぼ空になった時にだけ、第２の無線ＩＣタグ１１Ｃの情報が読取装置１３に読み取り可能になる。第２の無線ＩＣタグ１１Ｃの情報には、水溶液収納容器のＩＤや水溶液の種類、メーカなどのことが含まれるので、例えば醤油が無くなった時に醤油瓶が無線ＩＣタグ１１Ｃを介して自動的にそのことを中央処理装置１４に伝えるといった使い方ができる。
【００３４】
ただし、これだけでは水溶液の残量が多い時には、第２の無線ＩＣタグ１１Ａ、１１Ｂ、１１Ｃのすべてが読み出せないことも想定され、その場合にはどのような水溶液が存在するのか知ることが出来なくなるので、水溶液の影響を受けにくく低周波数帯で通信する第１の無線ＩＣタグ１２が必要となる。
【００３５】
すなわち、第１の無線ＩＣタグ１２は水溶液に関する情報が書き込まれており、液の残量にかかわり無く、常時読み取り可能な周波数帯で通信するので、この水溶液収納容器１５にどのような水溶液が収納されているのかどうかを常時知ることが出来る。この場合には、第２の無線ＩＣタグ１１Ａ、１１Ｂ、１１Ｃは水溶液の有無を知るだけなので、これらに書き込まれている情報は、それぞれの無線ＩＣタグが区別できる程度の情報で十分であり、必ずしも第１の無線ＩＣタグ１２と同様に水溶液に関する情報を保持している必要はない。
【００３６】
なお、第１の無線ＩＣタグ１２に水溶液に関する情報が書き込まれておらず、単なるコード情報しか書き込まれていなかった場合には、そのコード情報を基にしてネットワーク２０に接続された情報サーバ３０から水溶液に関する情報を中央処理装置１４が取得する必要がある。情報サーバ３０には、各コード情報と水溶液に関する情報とを対応させて記憶している。また、第１の無線ＩＣタグ１２から読み取った水溶液に関する情報を基にして、さらに必要な情報を情報サーバ３０から取得することも可能である。
【００３７】
なお、言うまでも無いことであるが、第１の無線ＩＣタグは水溶液収納容器１５そのものの存在を知らせるという最も基本的な働きをしている。
【００３８】
日本で無線ＩＣタグとして使える周波数のうち、最も周波数帯の高いマイクロ波領域である２．４５ＧＨｚの無線ＩＣタグは、他の周波数帯の無線ＩＣタグよりも水の影響を受けやすく、水溶液により敏感に反応するので、本発明の用途にて水溶液の有無を検出するために用いる第２の無線ＩＣタグには最適である。逆に、第１の無線ＩＣタグには長波の周波数帯、例えば１２５ＫＨｚ付近の周波数帯で通信するものが適している。
【００３９】
（実施の形態２）
図２、図３は第１〜第２、あるいは第４の発明の水溶液収納容器の実施の一例を示す図である。
【００４０】
図２のように（水溶液収納容器としての）コップ１６は第２の無線ＩＣタグ１１を備え、破線の部分ａがコップの内の飲み物である水溶液を示す。図２において飲み物が少なく第２の無線ＩＣタグ１１の直近には水分が無いので読取装置１３は第２の無線ＩＣタグ１１から情報を読み取ることが出来る。この情報は中央処理装置１４に送信される。
【００４１】
ただし、この場合にも実施の形態１で述べてきたとおり、飲み物がコップ１６いっぱいに注がれている時には第２の無線ＩＣタグ１１からは情報が読み取れなくなるので、そのような場合には、コップ１６が存在することさえ確認できなくなる。そのために必要となるのが水溶液の影響を受けにくく低周波数帯で通信する第１の無線ＩＣタグ１２である。
【００４２】
ここでも、第１の無線ＩＣタグ１２には飲み物の種類などを含む情報が書き込まれており、コップ１６の底部１６Ｘに第１の無線ＩＣタグ１２を貼る、あるいは封入するので、飲み物の残量に関わらず常時情報を読み取ることが出来る。
【００４３】
なお、第１の無線ＩＣタグ１２に水溶液に関する情報が書き込まれておらず、単なるコード情報しか書き込まれていなかった場合には、そのコード情報を基にしてネットワーク２０上の情報サーバ３０から水溶液に関する情報を中央処理装置１４が取得する必要がある。
【００４４】
もちろん、コップ１６の壁面に第１の無線ＩＣタグ１２を設置するといった方法でも構わないし、ビールジョッキのような大きな取手部分をつけて、その位置に第１の無線ＩＣタグ１２を設置するといったことでもかまわない。
【００４５】
さらにこのようなコップ１６を利用したシステム装置について考えてみる。
【００４６】
例えば図３のように、コップ１６Ａ、１６Ｂ、１６Ｃがテーブル１７の上に置かれていて、テーブル１７の全体が通信エリアに収まるように読取装置１３を配置した場合、コップ１６Ｃの飲み物が減っているので、このコップ１６Ｃの第２の無線ＩＣタグ１１の情報が読取装置１３で読み取り可能で、その情報は読取装置１３に送信される。コップ１６Ａ、１６Ｂについては、第２の無線ＩＣタグ１１からは読取り出来ないが、第１の無線ＩＣタグ１２（図示しない）からは読取り出来るので、どのような飲み物がまだ残量が多い（減っていない）ということも把握できる。
【００４７】
第１の無線ＩＣタグ１２からの情報には、テーブル番号、飲み物の種類に関する情報などが含まれており、例えば給仕係の待機場所に置かれた読取装置１３、中央処理装置１４を通じて、給仕係はどのテーブルの、どの飲み物がなくなったのかということがリアルタイムで把握できるので、給仕係が該当する飲み物を持って駆けつけるといった高度な接客サービスが実現可能となる。また、あまり減らない飲み物があるようであれば、何か違う種類の飲み物をお客様にお薦めするといったことも可能である。
【００４８】
なお、読取装置１３の配置方法、テーブル１７の配置方法を変えて、さらに複数のテーブルを通信エリアとしても構わない。飲み物が減ったコップが通信エリア内に同時に複数存在した場合でも、無線ＩＣタグは固有なＩＤを保持し、無線ＩＣタグそれぞれを識別できるので全く問題なく使用可能である。
【００４９】
また、コップの代わりにテーブルの上に置かれている水溶液収納容器であって、その中に入っている醤油やソースが残り少なくなって客からクレームが出る前に中身を補充するといった接客サービスを行うことも同様に可能である。さらにほとんど使われない、減っていないソースの存在を知ることも可能となる。
（実施の形態３）
図４は第３の発明の水溶液収納容器の実施一例を示す図であり、（水溶液収納容器としての）点滴容器１９の排出口付近に第２の無線ＩＣタグ１１が貼付されており、破線部ａは点滴容器１９の内部の液面を示している。
【００５０】
図４では、第２の無線ＩＣタグ１１の直近に水溶液は無いので読取装置１３が第２の無線ＩＣタグ１１の情報を読み取り可能で、読み込んだ情報は中央処理装置１４に送信される。例えば中央処理装置１４が看護婦控え室に設置されておれば、点滴の薬剤がなくなったことがリアルタイムに報知されるので、適切なタイミングで患者から点滴針を抜くといったことが可能となり、医療現場の効率化が期待できる。特に、重症患者の場合で、点滴液が無くなった時にナースコールボタンが押せないような場合には更なる効果が期待できる。
【００５１】
ここでもまた実施の形態１、２と同様に、点滴容器１９の底部、あるいは、取手部分などの点滴容器底部１９Ｘに水溶液の影響を受けにくく低周波数帯で通信する第１の無線ＩＣタグ１２を設置してもかまわない。これにより、水溶液の薬物の残量に関わらず、また点滴容器１９の設置方向に関わらず、薬剤が点滴容器のどこに存在したとしても、常時水溶液の種類（薬剤の種類）に関する情報を第１の無線ＩＣタグ１２の情報から読み取ることが出来る。
【００５２】
なお、第１の無線ＩＣタグ１２に水溶液に関する情報が書き込まれておらず、単なるコード情報しか書き込まれていなかった場合には、そのコード情報を基にしてネットワーク２０上の情報サーバ３０から水溶液に関する情報を中央処理装置１４が取得する必要がある。
【００５３】
また、本実施の形態では非常に限られた用途だけを例として用いているが、容器に入った水溶液であれば基本的に第１〜第６で説明した発明は適用可能であり、いずれの場合にも同様の効果を有するものである。
【００５４】
ここで述べてきた水溶液収納容器は電磁波を透過する物資で構成されていることが好ましく、醤油瓶のようなガラス製品であっても良いし、飲料水用ペットボトルでも良いし、牛乳パックのような紙製の容器でも構わない。対象とする水溶液も、日本酒、ビールのような酒類、あるいは、ジュース、医薬品といった様々な水溶液であり水でも構わない。
【００５５】
なお、中央処理装置１４で説明したが単なる処理装置であってもよい。
【００５６】
また、ここまでの説明では第１の無線ＩＣタグ１２には既に水溶液の種類に関する情報が書き込まれていることを前提にしてきたが、これに限定するような理由はまったくない。すなわち、読取装置１３が第１の無線ＩＣタグ１２の情報を読取るだけではなく、第１の無線ＩＣタグ１２の書き換え可能なメモリ領域に書き込めるような書き込み機能を有していた場合には、水溶液収納容器１５に水溶液を収納する時に、その水溶液に関する情報を第１の無線ＩＣタグ１２の書き換え可能なメモリ領域に書き込んでおくことも好ましい。
【００５７】
この場合には、水溶液収納容器１５にいろいろな種類の水溶液を収納することが可能となり、その使用用途が広がる。たとえば、コップ１６にこのような仕組みを導入すれば、コップ１６にあるときは炭酸飲料を入れたり、麦茶を入れたり、あるいは、発泡酒を入れたりして、その都度、コップ１６の第１の無線ＩＣタグ１２の書き換え可能なメモリ領域にこのような飲み物の情報を書き込むといった使い方が出来るようになる。
【００５８】
もちろん第１の無線ＩＣタグ１２の書き換え可能なメモリ領域に書き込む情報が単なるコード情報であった場合には、そのコード情報を基にしてネットワーク２０上の情報サーバ３０から水溶液に関する情報を中央処理装置１４が取得する必要がある。
【００５９】
なお、第１の無線ＩＣタグに記憶する情報と第２の無線ＩＣタグに記憶する情報とは異なるものとして説明したが、第２の無線ＩＣタグは第１の無線ＩＣタグと同じ情報を記憶して、水溶液収納容器に貼付、あるいは封入する位置が異なるだけとしてもよい。
【００６０】
（実施の形態４）
図５は本発明の水溶液管理装置の構成の一例を示す図である。図１と同じものについては同じ番号を付与し詳細な説明を省く。
【００６１】
図５において、水溶液収納容器１５の側面、あるいは、底部、あるいは底部付近にひとつ以上の第２の無線ＩＣタグ１１Ａ、１１Ｂ、１１Ｃ、１１Ｄが液面の高さ方向に並ぶように貼付されている。もちろん、貼付では剥がれる可能性があるので、水溶液収納容器１５の中に第２の無線ＩＣタグ１１Ａ、１１Ｂ、１１Ｃ、１１Ｄを封入することも効果的である。
【００６２】
水溶液収納容器１５の内部の液体には第２の無線ＩＣタグ１１が直接接触しないようにするのが最も良いが、第２の無線ＩＣタグ１１を液体に直接接触するような貼付、あるいは封入をまったく禁止しているわけではない。
【００６３】
図５において、水溶液収納容器１５の下部の破線部分ａは液体が入っている部分を示しており、第２の無線ＩＣタグ１１Ａ、１１Ｂの直近には液体がなく、情報が読取手段１３から読み取り可能である。無線ＩＣタグ１１Ｃ、１１Ｄの直近には液体があるので、これらの情報を読み取ることは出来ないので、１１Ｃの位置（高さ）までは液体が存在していることが判別できる。
【００６４】
水溶液収納容器１５の液体がなくなったときには、第２の無線ＩＣタグ１１Ａ、１１Ｂ、１１Ｃ、１１Ｄのすべてが読み出し可能となるので、読み出せている第２の無線ＩＣタグの情報で、液体の残留量を検知することが出来る。第２の無線ＩＣタグの情報には、水溶液収納容器１５のＩＤや液体の種類、メーカなどの情報を含むことが出来るので、例えば醤油が無くなった時に第２の無線ＩＣタグ１１を介して醤油瓶が自動的にそのことを制御手段１４に伝えるといった使い方ができる。
【００６５】
ただし、液面が水溶液収納容器１５の注ぎ口近くまで入っている場合（この場合でも第１の無線ＩＣタグの直近にまで液体は届かない）には第２の無線ＩＣタグ１１Ａ、１１Ｂ、１１Ｃ、１１Ｄの直近に液体が存在してしまうので、第２の無線ＩＣタグからは全く情報が読み取れなくなり、その水溶液収納容器１５の存在さえ検知できなくなる。
【００６６】
このために、水溶液の影響を受けにくく低周波数帯で通信する第１の無線ＩＣタグ１２を貼り付け、あるいは封入することが好ましい。
【００６７】
すなわち、水溶液収納容器１５に、水溶液が近くに存在しても通信できる第１の無線ＩＣタグ１２を追加して内部に液体が満たされている時でも必ず読み取り可能としておくことで、液体が満たされていても瓶の種類が読み出せるようにする。これにより、液体が水溶液収納容器１５がいっぱいに収納されていた場合でも第１の無線ＩＣタグ１２の情報を読み取ることが出来る水溶液管理装置を提供できる。
【００６８】
第１の無線ＩＣタグ１２の情報には、液体収納容器に収められている液体の種類、メーカなどの情報を含むことが望ましい。第１の無線ＩＣタグ１２の情報が単なる数値でのようなコード情報であった場合には、制御手段１４がネットワーク２０を経由して、情報サーバ３０から、コード情報に対応する情報（ここでは収納されている液体の種類、メーカなどの情報）を取得することが考えられる。
【００６９】
このように第１の無線ＩＣタグには液体収納容器に収められている液体の情報が含まれるべきであるが、液体が存在するか否かを判定するための第２の無線ＩＣタグ１１Ａ、１１Ｂ、１１Ｃ、１１Ｄについては、液体収納容器に収められている液体の情報までは必須では無く、それぞれが区別可能なＩＤコードだけでもあってもかまわない。
【００７０】
読取手段１３は水溶液管理装置４０の庫内が見渡せる場所に設置するのが好ましく、全体が一箇所から見渡せるのであれば水溶液管理装置４０のなかにひとつだけ設置することがコスト的には有利である。
【００７１】
水溶液管理装置４０が鉄のような金属などで構成されて外部と電磁シールドされていると、水溶液管理装置４０の外部に存在する無線ＩＣタグは読み取れないが、水溶液管理装置４０の庫内に存在する読み取り可能な無線ＩＣタグは読み取れることになる。すなわち、読み取れた無線ＩＣタグは必ず水溶液管理装置４０内に存在する無線ＩＣタグであるので、容易に庫内の液体収納容器だけを管理対象にすることができる。
【００７２】
また、日本で無線ＩＣタグとして使える周波数のうち、最も周波数帯の高いマイクロ波領域である２．４５ＧＨｚの無線ＩＣタグは他の周波数帯の無線ＩＣタグよりも水の影響を受けやすく、液体により敏感に反応するので、本発明の用途（特に第２の無線ＩＣタグ１１Ａ，１１Ｂ、１１Ｃ、１１Ｄ）に用いるのに最も適している。逆に、第１の無線ＩＣタグには長波の周波数帯、例えば１２５ＫＨｚ付近の周波数帯で通信するものが適している。
【００７３】
ここまでの説明では水溶液の影響を受けにくく低周波数帯で通信する第１の無線ＩＣタグ１２には既に液体の種類に関する情報が書き込まれていることを前提にしてきたが、これに限定するような理由はまったくない。すなわち、読取手段１３が第１の無線ＩＣタグ１２の情報を読取るだけではなく、第１の無線ＩＣタグ１２の書き換え可能なメモリ領域に書き込めるような書き込み機能を有していた場合には、水溶液収納容器１５に液体を収納するごとに、その液体に関する情報を第１の無線ＩＣタグ１２の書き換え可能なメモリ領域に書き込んでおくことも好ましい。
【００７４】
この場合には、水溶液収納容器１５にいろいろな種類の液体を収納することが可能となり、その用途が広がる。たとえば、このような仕組みを導入すれば、水溶液収納容器１５にあるときは炭酸飲料を入れたり、麦茶を入れたり、あるいは、発泡酒を入れたりして、その都度、水溶液収納容器１５の第１の無線ＩＣタグ１２の書き換え可能なメモリ領域にこのような飲み物の情報を書き込むといった使い方が出来るようになる。
【００７５】
もちろん第１の無線ＩＣタグ１２の書き換え可能なメモリ領域に書き込む情報が単なるコード情報であった場合には、そのコード情報を基にしてネットワーク上のサーバから液体に関する情報を中央処理装置１４が取得する必要がある。
【００７６】
なお、本実施の形態では非常に限られた用途だけを例として用いているが、容器に入った液体であれば基本的に実施の形態１〜４で説明した発明は適用可能であり、いずれの場合にも同様の効果を有するものである。ここで述べてきた水溶液管理装置４０は冷蔵庫であって、水溶液収納容器１５は醤油瓶のようなガラス製品を管理しても良いし、戸棚で飲料水用ペットボトルを管理しても良いし、収納庫の形状はもちろん、対象とする液体とする液体も、日本酒、ビールのような酒類、あるいは、ジュース、医薬品といったあらゆる液体であり水でも構わない。
【産業上の利用可能性】
【００７７】
以上のように、本発明の水溶液収納容器と、その水溶液収納容器を用いた水溶液管理装置は、第２の無線ＩＣタグが直接内部の液に触れることなく、完全に非接触であり、水溶液が第２の無線ＩＣタグの直近に存在しない場合にだけ、電波で情報を通信することが出来る（第２の無線ＩＣタグの付近に水溶液があると通信できない）という超短波あるいはマイクロ波領域の周波数帯を使用している。
【００７８】
そして、一般的な無線ＩＣタグを水溶液収納容器に貼付、あるいは封入しただけの極めて簡単な構成で、コスト的にも非常に有利に、液量や水溶液の有無を検出する水溶液収納容器と、その水溶液収納容器を用いた水溶液管理装置を提供できる。
【００７９】
また、水溶液に関する情報が書き込まれた、もしくは水溶液に関する情報を取得できるコード情報が書き込まれた水溶液の影響を受けにくい長波帯の周波数帯で通信する第１の無線ＩＣタグも貼付、もしくは、封入してあるので、水溶液収納容器が水溶液で満たされていた時にも、水溶液の影響を受けにくい長波帯の周波数帯で通信する第１の無線ＩＣタグだけは少なくとも読み取り可能であり、その水溶液がどのような物質であるのかということを知ることが出来る。
【図面の簡単な説明】
【００８０】
【図１】本発明の実施の形態１の水溶液収納容器とシステム構成の一例図
【図２】本発明の実施の形態２の無線ＩＣタグを貼付したコップとシステム構成の一例図
【図３】本発明の実施の形態２の無線ＩＣタグを貼付したコップとシステム構成の一例図
【図４】本発明の実施の形態３の無線ＩＣタグを貼付した点滴容器とシステム構成の一例図
【図５】本発明の実施の形態４の無線ＩＣタグを貼付した水溶液収納容器と水溶液管理装置とのシステム構成の一例図
【符号の説明】
【００８１】
１１、１１Ａ、１１Ｂ、１１Ｃ、１１Ｄ  第２の無線ＩＣタグ
１２  第１の無線ＩＣタグ
１３  読取装置
１４  中央処理装置
１５  水溶液収納容器
１６、１６Ａ、１６Ｂ、１６Ｃ  コップ
１６Ｘ  コップ底部
１７  テーブル
１９  点滴容器
１９Ｘ  点滴容器底部
２０  ネットワーク
３０  情報サーバ
４０  水溶液管理装置
【図１】
2006290402.tif 000003
【図２】
2006290402.tif 000004
【図３】
2006290402.tif 000005
【図４】
2006290402.tif 000006
【図５】
2006290402.tif 000007